(57)【要約】【課題】基板の位置を正確に調整する。【解決手段】表示装置は、治具と、基板と、基準位置固定部とを具備する。グリップの中心軸と異なる軸上に先端部が取り付けられた偏芯ドライバの先端部が治具に挿入される。また、先端部が挿入される挿入口が設けられた基板は、先端部およびグリップが挿入された偏芯ドライバの回転により治具に対する位置が所定の可動域内で可動する。また、基準位置固定部は、可動域内の所定の基準位置に前記基板を固定する。【選択図】図４
2015194516.tif 000002
【特許請求の範囲】
【請求項１】
グリップの中心軸と異なる軸上に先端部が取り付けられた偏芯ドライバの前記先端部が挿入される挿入口が設けられた治具と、
前記グリップが挿入される細長い長穴が設けられ、前記先端部および前記グリップが挿入された前記偏芯ドライバの回転により前記治具に対する位置が所定の可動域内で可動する基板と、
前記可動域内の所定の基準位置に前記基板を固定する基準位置固定部と
を具備する表示装置。
【請求項２】
前記基板は、矩形であり、
前記挿入口は、前記基板の辺に沿って複数配列され、
前記治具は、前記挿入口ごとに設けられる
請求項１記載の表示装置。
【請求項３】
前記挿入口および前記治具は、前記基板の辺ごとに複数設けられる
請求項２記載の表示装置。
【請求項４】
前記基板において発生した熱を前記基板の外部に放熱する放熱部をさらに具備する
請求項１記載の表示装置。
【請求項５】
前記治具を前記基板の外部の部材に固定する外部固定部をさらに具備する
請求項１記載の表示装置。
【請求項６】
前記基板に取り付けられた表示パネルと
前記表示パネルに画像を表示させる制御部と
をさらに具備する請求項１記載の表示装置。
【請求項７】
グリップの中心軸と異なる軸上に先端部が取り付けられた偏芯ドライバの前記先端部が挿入される挿入口が設けられた治具と、
前記グリップが挿入される細長い長穴が設けられ、前記先端部および前記グリップが挿入された前記偏芯ドライバの回転により前記治具に対する位置が所定の可動域内で可動する基板と、
前記可動域内の所定の基準位置に前記基板を固定する基準位置固定部と
を具備する電子装置。
【請求項８】
グリップの中心軸と異なる軸上に先端部が取り付けられた偏芯ドライバの前記先端部が挿入される挿入口が設けられた治具と、前記グリップが挿入される細長い長穴が設けられ、前記先端部および前記グリップが挿入された前記偏芯ドライバの回転により前記治具に対する位置が所定の可動域内で可動する基板と、前記可動域内の所定の基準位置に前記基板を固定する基準位置固定部とを具備する電子装置において前記先端部を前記挿入口に挿入し、前記グリップを前記長穴に挿入する挿入手順と、
前記先端部および前記グリップが挿入された前記偏芯ドライバを回転させる回転手順と、
前記回転手順の後に前記基準位置固定具により前記基板を前記基準位置に固定する固定手順と
を具備する基板の調整方法。
【発明の詳細な説明】
【技術分野】
【０００１】
本技術は、表示装置、電子装置、および、基板の調整方法に関する。詳しくは、基板の位置を調整する治具を備える表示装置、電子装置、および、基板の調整方法に関する。
【背景技術】
【０００２】
従来より、表示装置においては画面サイズを大きくする目的で表示パネルを複数配列したディスプレイが用いられることがある。例えば、表示パネルより大きな基板と、その基板に配列した複数の表示パネルとからなる部品を１つのユニットとして、複数のユニットを連結することにより大画面のディスプレイが製造される。このディスプレイにおいて、それぞれのユニットの位置が基準の位置からずれると、ユニットの境界において、輝線や暗線が発生し、画質が低下してしまう。
【０００３】
そこで、ユニットの位置を調整するために、基板に垂直な方向へ突出した板状の底板部を基板に設け、隣り合う基板の底板部のそれぞれに空けた穴にネジ棒を挿入し、そのネジ棒の両端をナットで固定した表示装置が提案されている（例えば、特許文献１参照。）。作業者がネジ棒を回転させることにより、ネジ棒の軸方向に沿ってユニットの位置を調整することができる。
【先行技術文献】
【特許文献】
【０００４】
【特許文献１】特開２０００−３３８８９９号公報
【発明の概要】
【発明が解決しようとする課題】
【０００５】
上述の従来技術では、ネジ棒を単位角度だけ回転させたときの調整量は、ネジ棒のネジ溝の間隔により決定される。この単位角度当たりの調整量が大きすぎると正確に位置を調整することができないおそれがあるが、その調整量を変更するにはネジ棒を一旦取り外してネジ溝の間隔が小さい別のネジ棒に交換しなくてはならず、作業時間や工数が増大してしまう。このため、基板の位置を正確に調整することが困難である。
【０００６】
本技術はこのような状況に鑑みて生み出されたものであり、基板の位置を正確に調整することを目的とする。
【課題を解決するための手段】
【０００７】
本技術は、上述の問題点を解消するためになされたものであり、その第１の側面は、グリップの中心軸と異なる軸上に先端部が取り付けられた偏芯ドライバの上記先端部が挿入される挿入口が設けられた治具と、上記グリップが挿入される細長い長穴が設けられ、上記先端部および上記グリップが挿入された上記偏芯ドライバの回転により上記治具に対する位置が所定の可動域内で可動する基板と、上記可動域内の所定の基準位置に上記基板を固定する基準位置固定部とを具備する表示装置である。これにより、所定の基準位置に基板が固定されるという作用をもたらす。
【０００８】
また、この第１の側面において、上記基板は、矩形であり、上記挿入口は、上記基板の辺に沿って複数配列され、上記治具は、上記挿入口ごとに設けられてもよい。これにより、挿入口が基板の辺に沿って複数配列され、治具が挿入口ごとに設けられるという作用をもたらす。
【０００９】
また、この第１の側面において、前記挿入口および前記治具は、前記基板の辺ごとに複数設けられてもよい。これにより、挿入口および治具が、基板の辺ごとに複数設けられるという作用をもたらす。
【００１０】
また、この第１の側面において、上記基板において発生した熱を上記基板の外部に放熱する放熱部をさらに具備してもよい。これにより、基板において発生した熱が基板の外部に放熱されるという作用をもたらす。
【００１１】
また、この第１の側面において、上記治具を上記基板の外部の部材に固定する外部固定部をさらに具備してもよい。これにより、治具が基板の外部の部材に固定されるという作用をもたらす。
【００１２】
また、この第１の側面において、上記基板に取り付けられた表示パネルと上記表示パネルに画像を表示させる制御部とをさらに具備してもよい。これにより、表示パネルに画像が表示されるという作用をもたらす。
【００１３】
また、本技術の第２の側面は、グリップの中心軸と異なる軸上に先端部が取り付けられた偏芯ドライバの上記先端部が挿入される挿入口が設けられた治具と、上記グリップが挿入される細長い長穴が設けられ、上記先端部および上記グリップが挿入された上記偏芯ドライバの回転により上記治具に対する位置が所定の可動域内で可動する基板と、上記可動域内の所定の基準位置に上記基板を固定する基準位置固定部とを具備する電子装置である。これにより、所定の基準位置に基板が固定されるという作用をもたらす。
【００１４】
また、本技術の第３の側面は、グリップの中心軸と異なる軸上に先端部が取り付けられた偏芯ドライバの上記先端部が挿入される挿入口が設けられた治具と、上記グリップが挿入される細長い長穴が設けられ、上記先端部および上記グリップが挿入された上記偏芯ドライバの回転により上記治具に対する位置が所定の可動域内で可動する基板と、上記可動域内の所定の基準位置に上記基板を固定する基準位置固定部とを具備する電子装置において上記先端部を上記挿入口に挿入し、上記グリップを上記長穴に挿入する挿入手順と、上記先端部および上記グリップが挿入された上記偏芯ドライバを回転させる回転手順と、上記回転手順の後に上記基準位置固定具により上記基板を上記基準位置に固定する固定手順とを具備する基板の調整方法である。これにより、所定の基準位置に基板が固定されるという作用をもたらす。
【発明の効果】
【００１５】
本技術によれば、基板の位置を正確に調整することができるという優れた効果を奏し得る。なお、ここに記載された効果は必ずしも限定されるものではなく、本開示中に記載されたいずれかの効果であってもよい。
【図面の簡単な説明】
【００１６】
【図１】第１の実施の形態における表示装置の一構成例を示すブロック図である。
【図２】第１の実施の形態における表示部の平面図の一例である。
【図３】第１の実施の形態における表示部の斜視図の一例である。
【図４】第１の実施の形態におけるユニット基板の背面図の一例である。
【図５】第１の実施の形態における治具の平面図および側面図の一例である。
【図６】第１の実施の形態における偏芯ドライバの側面図および断面図の一例である。
【図７】第１の実施の形態における位置ずれの調整前のユニット基板の一例を示す図である。
【図８】第１の実施の形態における位置ずれの調整後のユニット基板の一例を示す図である。
【図９】第１の実施の形態におけるユニット基板の調整方法の一例を示すフローチャートである。
【図１０】第２の実施の形態における表示部の平面図の一例である。
【図１１】第２の実施の形態における表示部の断面図の一例である。
【発明を実施するための形態】
【００１７】
以下、本技術を実施するための形態（以下、実施の形態と称する）について説明する。説明は以下の順序により行う。
１．第１の実施の形態（偏芯ドライバの回転により基板の位置を調整する例）
２．第２の実施の形態（放熱部を備え、偏芯ドライバの回転により基板の位置を調整する例）
【００１８】
＜１．第１の実施の形態＞
［表示装置の構成例］
図１は、第１の実施の形態における表示装置１００の一構成例を示すブロック図である。この表示装置１００は、動画や静止画を表示する装置であり、制御部１１０および表示部２００を備える。
【００１９】
制御部１１０は、表示装置１００全体を制御するものである。この制御部１１０は、タイミング信号や画素信号などの制御信号を生成し、表示部２００に信号線１１９を介して供給する。ここで、タイミング信号は、例えば、水平同期信号や垂直同期信号を含む。また、画素信号は、例えば、Ｒ（Red）、Ｇ(Green)およびＢ(Blue)のそれぞれの階調を示す信号を含む。表示部２００は、制御部１１０の制御に従って動画等を表示するものである。
【００２０】
［表示部の構成例］
図２は、第１の実施の形態における表示部２００の平面図の一例である。この表示部２００は、複数の表示ユニット２１０と複数の治具２２０と筐体とを備える。なお、同図において、筐体は省略されている。
【００２１】
表示ユニット２１０は、画像の一部を表示するものである。表示ユニット２１０は長方形の表示面を有し、表示部２００において２次元格子状に配列される。また、表示ユニット２１０の表示面において、複数の発光素子が２次元格子状に配列される。以下、表示ユニット２１０の表示面の長辺に平行な軸をＸ軸とし、表示面の短辺に平行な軸をＹ軸とする。また、Ｘ軸およびＹ軸に直交する軸をＺ軸とする。
【００２２】
治具２２０は、表示ユニット２１０の位置を微調整するために設けられる器具である。治具２２０は、例えば、表示ユニット２１０の長辺および短辺のそれぞれに設けられる。長辺に設けられた治具２２０は、長辺に直交する方向（すなわち、Ｙ軸方向）に表示ユニット２１０を移動させて、その位置を微調整するために設けられる。一方、短辺に設けられた治具２２０は、短辺に直交する方向（すなわち、Ｘ軸方向）に表示ユニット２１０を移動させて、その位置を微調整するために設けられる。
【００２３】
ここで、表示ユニット２１０の長辺および短辺のそれぞれにおいて、複数の治具２２０を設けることが望ましい。長辺や短辺において作業者が、複数の治具２２０により、それぞれ異なる調整量だけ調整することにより、表示ユニット２１０をＺ軸周りに一定の角度で傾けることができる。
【００２４】
［表示ユニットの構成例］
図３は、第１の実施の形態における表示部２００の斜視図の一例である。表示部２００は、板金裏蓋２５０と、複数の表示ユニット２１０と、複数の治具２２０とを備える。なお、同図においては、複数の表示ユニット２１０のうち１つのみが記載され、板金裏蓋２５０の一部が記載されている。
【００２５】
表示ユニット２１０は、ユニット基板２１１と、複数のパネル取り付け板２１６と、複数の表示パネル２１７とを備える。
【００２６】
ユニット基板２１１は、パネル取り付け板２１６および表示パネル２１７が取り付けられる矩形の基板である。このユニット基板２１１において、表示パネル２１７が取り付けられた面を正面とし、そうでない面を背面とする。また、ユニット基板２１１の背面には、その辺の近傍において、背面に直交する方向へ突出したユニット取付け部２１２が設けられる。なお、ユニット基板２１１は、特許請求の範囲に記載の基板の一例である。
【００２７】
パネル取り付け板２１６は、表示パネル２１７をユニット基板２１１に取り付けるための部品である。表示パネル２１７は、画像の一部を表示するものである。
【００２８】
なお、ユニット基板２１１および治具２２０を表示装置１００に設ける構成としているが、これらを表示装置１００以外の電子装置（照明装置など）に設けてもよい。照明装置に設ける際には、表示パネル２１７の代わりに照明パネルが取り付けられる。
【００２９】
図４は、第１の実施の形態におけるユニット基板２１１の背面図の一例である。ユニット基板２１１には、直交する２辺のそれぞれに治具取付け部２１４が２つずつ設けられる。
【００３０】
治具取付け部２１４は、治具２２０を取り付けるための平面である。この治具取付け部２１４には、円形の挿入口２１３と、複数のビス穴２１５とが設けられる。挿入口２１３は、後述する偏芯ドライバの先端部が挿入される円形の穴である。ビス穴２１５は、ビスを締結するために設けられた穴である。
【００３１】
また、図４において、メカ基準線ＳＶは、ユニット基板２１１のＸ軸上の基準位置を示す基準線である。また、メカ基準線ＳＨは、ユニット基板２１１のＹ軸上の基準位置を示す基準線である。調整の際には、メカ基準線ＳＶにユニット基板２１１の短辺が一致するように位置が微調整される。また、メカ基準線ＳＨにユニット基板２１１の長辺が一致するように位置が微調整される。
【００３２】
［治具の構成例］
図５は、第１の実施の形態における治具２２０の平面図および側面図の一例である。同図におけるａは、治具２２０の平面図の一例である。治具２２０には、長穴２２１が設けられる。また、治具２２０には、複数のビス２３０とシャフト２４１とバネ２４３とが取り付けられる。
【００３３】
長穴２２１は、調整方向に直交する方向に沿って細長く、挿入口２１３より大きな穴である。この長穴２２１の形状は、例えば、楕円形である。なお、長穴２２１の形状は、細長い形状であれば楕円形に限定されず、例えば、長方形であってもよい。
【００３４】
ビス２３０は、ユニット基板２１１を、その可動域内の所定の位置において固定するものである。このビス２３０は、Ｚ軸方向に治具２２０を貫通してユニット基板２１１のビス穴２１５に締結される。ビス２３０を作業者が緩めると、長穴２２１の短軸方向の一定の可動域内でユニット基板２１１を可動させることができる。また、ビス２３０を緩めた状態で作業者が後述する偏芯ドライバによりユニット基板２１１の位置を調整し、その後にビス２３０を締めると、ユニット基板２１１は、その可動域内の所定の位置（例えば、基準位置）において固定される。なお、ビス２３０は、特許請求の範囲に記載の基準位置固定部の一例である。
【００３５】
シャフト２４１は、一端にピン２４２が設けられた棒状の部材である。このシャフト２４１は、長穴２２１の短軸方向（例えば、Ｘ軸方向）に治具２２０を貫通して取り付けられる。また、ピン２４２は、シャフト２４１において、長穴２２１から遠い方の一端に設けられる。
【００３６】
バネ２４３は、弾性エネルギーにより、シャフト２４１の軸方向に沿って、長穴２２１の方へシャフト２４１を可動させる弾性体である。
【００３７】
図５におけるｂは、治具２２０の断面図の一例である。シャフト２４１は、治具２２０と、隣接するユニット基板２１１のユニット取付け部２１２とを貫通して取り付けられる。シャフト２４１のピン２４２とユニット取付け部２１２との間には、カム２４４が挿入される。カム２４４は、シャフト２４１が、その軸周りに一定角度（例えば、９０度）回転すると、ピン２４２と勘合するものである。
【００３８】
作業者は、あるユニット基板２１１に治具２２０を取り付け、その治具２２０にバネ２４３を取り付ける。そして作業者は、バネ２４３と治具２２０と隣のユニット基板２１１のユニット取付け部２１２とカム２４４とを貫通させてシャフト２４１を取り付ける。そのシャフト２４１を作業者が一定角度回転させると、前述したようにピン２４２とカム２４４とが勘合し、バネ２４３の弾性力により、治具２２０は、隣接するユニット基板２１１に固定される。また、この治具２２０はビス２３０によりユニット基板２１１に固定されている。このため、シャフト２４１、バネ２４３およびカム２４４からなるクランプとビス２３０とにより、隣接する２つのユニット基板２１１が連結される。なお、シャフト２４１、バネ２４３およびカム２４４からなるクランプは、特許請求の範囲に記載の外部固定部の一例である。
【００３９】
表示ユニット２１０に故障が生じ、その表示ユニット２１０を交換する必要がある場合、作業者は、ビス２３０およびクランプ（２４１、２４３および２４４）を緩めればよい。これにより、隣接する表示ユニット２１０の間にクリアランスが生じ、表示ユニット２１０を容易に取り外し、交換することができる。このため、メンテナンスが容易となる。
【００４０】
図６は、第１の実施の形態における偏芯ドライバ３１０の側面図および断面図の一例である。ユニット基板２１１の調整時において、偏芯ドライバ３１０は、複数用意することが望ましい。それぞれの偏芯ドライバ３１０には、グリップ３１１と、回転体の先端部３１２とが設けられる。
【００４１】
グリップ３１１は、偏芯ドライバ３１０において作業者が握る部分である。このグリップ３１１の一端には、先端部３１２が設けられ、その一端の直径は、治具２２０の長穴２２１の短径より小さく、ユニット基板２１１の挿入口２１３の直径より大きい。なお、図６においては、記載の便宜上、グリップ３１１の形状を円筒形としているが、回転体であれば、円筒形に限定されない。
【００４２】
先端部３１２は、グリップ３１１の中心軸と異なる軸上に中心軸が位置する回転体である。この先端部３１２の一端はグリップ３１１に固定される。先端部３１２において、グリップ３１１に固定されていない方の他端の直径は、ユニット基板２１１の挿入口２１３より小さい。
【００４３】
以下、グリップ３１１の中心軸と先端部３１２の中心軸との間の距離を「偏芯量」と称する。複数の偏芯ドライバ３１０のそれぞれは、偏芯量が異なるものとする。
【００４４】
ここで、上述したように、先端部３１２の直径は挿入口２１３より小さく、グリップ３１１の一端の直径は長穴２２１の短径より小さい。このため、作業者は、挿入口２１３に先端部３１２を挿入し、グリップ３１１の一端を長穴２２１に挿入することができる。このように先端部３１２およびグリップ３１１を挿入した状態で、作業者が偏芯ドライバ３１０を回転させると、ユニット基板２１１が長穴２２１の短軸方向に沿って可動し、その位置を微調整することができる。偏芯ドライバ３１０を一定角度回転させたときの調整量は、偏芯量が大きいほど、大きくなる。言い換えれば、調整の際の分解能は、偏芯量が大きいほど低くなる。
【００４５】
したがって、位置の調整において、偏芯量の異なる偏芯ドライバ３１０に交換するだけで、分解能を容易に変更することができる。これにより、効率的にユニット基板２１１の位置を調整することができる。例えば、位置のずれ量が大きい際に作業者は、分解能の低い（すなわち、偏芯量が大きい）偏芯ドライバ３１０により途中まで調整を行い、途中からは、分解能の高い（偏芯量が小さい）偏芯ドライバ３１０により調整を行えばよい。
【００４６】
なお、図６では、複数の偏芯ドライバ３１０のそれぞれのグリップ３１１の直径を同一にし、先端部３１２の位置を変えているが、偏芯量を変えることができれば、この構成に限定されない。例えば、先端部３１２の位置を同一にし、複数の偏芯ドライバ３１０のそれぞれのグリップ３１１の直径を変えてもよい。また、先端部３１２の位置とグリップ３１１の直径との両方を変えてもよい。
【００４７】
図７は、第１の実施の形態における調整前のユニット基板２１１の一例を示す図である。治具２２０のクランプおよびビス２３０により、隣接する２つのユニット基板２１１が連結されたものとする。この状態において、ビス２３０により固定された方のユニット基板２１１の短辺がメカ基準線ＳＶから一定のズレ量だけずれている場合を想定する。この位置ずれが生じたユニット基板２１１が調整対象とされる。
【００４８】
まず、作業者は、ビス２３０を緩める。これにより、調整対象のユニット基板２１１をメカ基準線ＳＶに直交する方向に、一定の可動域内で可動させることができるようになる。
【００４９】
次いで作業者は、偏芯ドライバ３１０の先端部３１２を調整対象のユニット基板２１１の挿入口２１３に挿入し、グリップ３１１の一端を治具２２０の長穴２２１に挿入する。ここで、挿入の際には、グリップ３１１の中心軸と長穴２２１の長軸との間の距離が偏芯量より短くなるように挿入することが望ましい。そして、作業者は、メカ基準線ＳＶにユニット基板２１１の短辺が一致するまで、偏芯ドライバ３１０を回転させる。
【００５０】
例えば、画素ピッチが１．２６ミリメートル（ｍｍ）で、一定の画質を維持するのに、その±３％の精度が要求される場合、およそ±４０マイクロメートル（μｍ）の精度でユニット基板２１１の位置を微調整する必要がある。作業者が肉眼により、そのような精度で調整するのは困難である。このため、撮像部および表示部を備えるカメラが、ユニット基板２１１の周辺部を撮像し、撮像した画像を拡大して表示することが望ましい。作業者が、その画像を見ながら微調整を行うことにより、調整の精度を高くすることができる。
【００５１】
図８は、第１の実施の形態における調整後のユニット基板２１１の一例を示す図である。偏芯ドライバ３１０の回転によりメカ基準線ＳＶにより規定された基準位置にユニット基板２１１が調整される。この後、作業者は、ビス２３０を締めてユニット基板２１１の位置を固定し、偏芯ドライバ３１０を抜き取る。
【００５２】
なお、作業者がユニット基板２１１の位置の調整を行っているが、作業者の代わりにロボットが調整を行ってもよい。
【００５３】
図９は、第１の実施の形態におけるユニット基板２１１の調整方法の一例を示すフローチャートである。同図に示す調整作業は、ユニット基板２１１を配置するたびに実行される。
【００５４】
作業者は、配置したユニット基板２１１の位置がメカ基準線ＳＶおよびＳＨの示す基準位置であるか否かを判断する（ステップＳ９０１）。基準位置でなければ（ステップＳ９０１：Ｎｏ）、作業者は、治具２２０のビス２３０を緩める（ステップＳ９０２）。
【００５５】
そして、作業者は、偏芯ドライバ３１０の先端部３１２を調整対象のユニット基板２１１の挿入口２１３に挿入し、グリップ３１１の一端を治具２２０の長穴２２１に挿入する（ステップＳ９０３）。作業者は、挿入した偏芯ドライバ３１０を回転させて、ユニット基板２１１の位置を基準位置に微調整する（ステップＳ９０４）。作業者は、治具２２０のビス２３０を締めて、ユニット基板２１１の位置を固定し、偏芯ドライバ３１０を抜き取る（ステップＳ９０５）。ユニット基板２１１の位置が基準位置である場合（ステップＳ９０１：Ｙｅｓ）、または、ステップＳ９０５の後、作業者はユニット基板２１１の位置の調整作業を終了する。
【００５６】
このように、本技術の第１の実施の形態によれば、偏芯ドライバの先端部が挿入される挿入口を治具に設け、偏芯ドライバのグリップが挿入される長穴を基板に設けたため、偏芯ドライバの挿入および回転により基板の位置を正確に調整することができる。
【００５７】
＜２．第２の実施の形態＞
第１の実施の形態では、表示ユニット２１０で発生した熱は、治具２２０により、その隣の表示ユニット２１０へ放熱される。しかし、表示ユニット２１０において発光素子の密度を高くするほど、表示ユニット２１０の発熱量が増大する。このため、増大した発熱量に対して治具２２０による放熱量が低いと、表示部２００全体の温度が均一にならず、温度が高くなった表示ユニット２１０の熱膨張により表示部２００にゆがみが生じるおそれがある。このため、表示ユニット２１０の熱を放熱する放熱部をさらに設けることが望ましい。第２の実施の形態の表示装置１００は、放熱部をさらに設けた点において第１の実施の形態と異なる。
【００５８】
図１０は、第２の実施の形態における表示部２００の平面図の一例である。第２の実施の形態の表示部２００において、隣接する表示ユニット２１０の間には、それぞれの表示ユニット２１０と一定面積が接触する放熱部２６０が設けられる。
【００５９】
放熱部２６０は、表示ユニット２１０で発生した熱を、その外部（例えば、隣の表示ユニット２１０）に放熱するものである。例えば、熱伝導度が一定値より高い放熱シートや金属などが放熱部２６０として用いられる。
【００６０】
図１１は、第２の実施の形態における表示部２００の断面図の一例である。放熱部２６０は、シート状であり、隣り合うユニット基板２１１のそれぞれと一定面積が接触する。また、この放熱部２６０は、固定シート２７０により固定される。放熱部２６０とユニット基板２１１との接触面の長さは、長いほど接触面の面積が大きくなるため、ユニット基板２１１の辺全体に亘ることが望ましい。しかし、辺全体に亘って接触させると、面精度を十分に高くすることができなくなる。このため、メカ精度の観点からユニット取付け具２１２と治具２２０との辺長は１００ミリメートル（ｍｍ）程度までが望ましく、そこ以外の辺長を放熱部２６０、固定シート２７０で接続することで放熱性が確保される。
【００６１】
このように、第２の実施の形態によれば、表示ユニット２１０で発生した熱を放熱部２６０が放熱するため、表示部２００全体の温度を均一にすることができる。これにより、温度ムラがなくなり、高温の表示ユニット２１０の熱膨張により表示部２００にゆがみが生じることを抑制することができる。
【００６２】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００６３】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【００６４】
なお、ここに記載された効果は必ずしも限定されるものではなく、本開示中に記載されたいずれかの効果であってもよい。
【００６５】
なお、本技術は以下のような構成もとることができる。
（１）グリップの中心軸と異なる軸上に先端部が取り付けられた偏芯ドライバの前記先端部が挿入される挿入口が設けられた治具と、
前記グリップが挿入される細長い長穴が設けられ、前記先端部および前記グリップが挿入された前記偏芯ドライバの回転により前記治具に対する位置が所定の可動域内で可動する基板と、
前記可動域内の所定の基準位置に前記基板を固定する基準位置固定部と
を具備する表示装置。
（２）前記基板は、矩形であり、
前記挿入口は、前記基板の辺に沿って複数配列され、
前記治具は、前記挿入口ごとに設けられる
前記（１）記載の表示装置。
（３）前記挿入口および前記治具は、前記基板の辺ごとに複数設けられる
前記（２）記載の表示装置。
（４）前記基板において発生した熱を前記基板の外部に放熱する放熱部をさらに具備する
前記（１）から（３）のいずれかに記載の表示装置。
（５）前記治具を前記基板の外部の部材に固定する外部固定部をさらに具備する
前記（１）から（４）のいずれかに記載の表示装置。
（６）前記基板に取り付けられた表示パネルと
前記表示パネルに画像を表示させる制御部と
をさらに具備する前記（１）から（５）のいずれかに記載の表示装置。
（７）グリップの中心軸と異なる軸上に先端部が取り付けられた偏芯ドライバの前記先端部が挿入される挿入口が設けられた治具と、
前記グリップが挿入される細長い長穴が設けられ、前記先端部および前記グリップが挿入された前記偏芯ドライバの回転により前記治具に対する位置が所定の可動域内で可動する基板と、
前記可動域内の所定の基準位置に前記基板を固定する基準位置固定部と
を具備する電子装置。
（８）グリップの中心軸と異なる軸上に先端部が取り付けられた偏芯ドライバの前記先端部が挿入される挿入口が設けられた治具と、前記グリップが挿入される細長い長穴が設けられ、前記先端部および前記グリップが挿入された前記偏芯ドライバの回転により前記治具に対する位置が所定の可動域内で可動する基板と、前記可動域内の所定の基準位置に前記基板を固定する基準位置固定部とを具備する電子装置において前記先端部を前記挿入口に挿入し、前記グリップを前記長穴に挿入する挿入手順と、
前記先端部および前記グリップが挿入された前記偏芯ドライバを回転させる回転手順と、
前記回転手順の後に前記基準位置固定具により前記基板を前記基準位置に固定する固定手順と
を具備する基板の調整方法。
【符号の説明】
【００６６】
１００  表示装置
１１０  制御部
２００  表示部
２１０  表示ユニット
２１１  ユニット基板
２１２  ユニット取付け部
２１３  挿入口
２１４  治具取付け部
２１５  ビス穴
２１６  パネル取り付け板
２１７  表示パネル
２２０  治具
２２１  長穴
２３０  ビス
２４１  シャフト
２４２  ピン
２４３  バネ
２４４  カム
２５０  板金裏蓋
２６０  放熱部
２７０  固定シート
３１０  偏芯ドライバ
３１１  グリップ
３１２  先端部
【図１】
2015194516.tif 000003
【図２】
2015194516.tif 000004
【図３】
2015194516.tif 000005
【図４】
2015194516.tif 000006
【図５】
2015194516.tif 000007
【図６】
2015194516.tif 000008
【図７】
2015194516.tif 000009
【図８】
2015194516.tif 000010
【図９】
2015194516.tif 000011
【図１０】
2015194516.tif 000012
【図１１】
2015194516.tif 000013